(57)【要約】      （修正有）【課題】表示品位の劣化を抑制することが可能な液晶表示装置を提供する。【解決手段】液晶注入口ＩＬに位置し第１方向に延出した外周配線ＣＮは、第１方向に延出し第１方向に直交する第２方向に並んだ第１直線部及び第２直線部を含む複数の直線部からなる第１配線部と、第１方向及び第２方向に交差する第３方向に延出し第１直線部に繋がった第３直線部及び第１乃至第３方向に交差する第４方向に延出し第２直線部に繋がった第４直線部を含む複数の直線部からなる格子状の第２配線部と、第１方向に延出し第３直線部に繋がった第５直線部及び第１方向に延出し第５直線部と第２方向に並び第４直線部に繋がった第６直線部を含む複数の直線部からなる第３配線部と、を含む、液晶表示装置。【選択図】図４
2014085401.tif 000002
【特許請求の範囲】
【請求項１】
画像を表示するアクティブエリアの外周に沿って外周配線を備えた第１基板と、
前記第１基板に対向配置された第２基板と、
前記アクティブエリアを囲み液晶注入口を形成するように配置され、前記第１基板と前記第２基板との間にセルギャップを形成した状態で前記第１基板と前記第２基板とを貼り合わせるシール材と、
前記シール材によって囲まれた内側のセルギャップに保持された液晶層と、
前記液晶注入口を封止する封止材と、を備え、
前記液晶注入口に位置し第１方向に延出した前記外周配線は、第１方向に延出し第１方向に直交する第２方向に並んだ第１直線部及び第２直線部を含む複数の直線部からなる第１配線部と、第１方向及び第２方向に交差する第３方向に延出し前記第１直線部に繋がった第３直線部及び第１乃至第３方向に交差する第４方向に延出し前記第２直線部に繋がった第４直線部を含む複数の直線部からなる格子状の第２配線部と、第１方向に延出し第３直線部に繋がった第５直線部及び第１方向に延出し前記第５直線部と第２方向に並び第４直線部に繋がった第６直線部を含む複数の直線部からなる第３配線部と、を含む、液晶表示装置。
【請求項２】
前記第２配線部は、前記液晶注入口の略中央に位置する、請求項１に記載の液晶表示装置。
【請求項３】
前記第１配線部及び前記第２配線部の各直線部は、それぞれ第２方向に等間隔で並んでいる、請求項１または２に記載の液晶表示装置。
【請求項４】
前記第１配線部及び前記第２配線部における各直線部の第１方向に沿った長さは、前記外周配線の中央部よりも前記外周配線のエッジ側の方が長い、請求項１乃至３のいずれか１項に記載の液晶表示装置。
【請求項５】
画像を表示するアクティブエリアの外周に沿って外周配線を備えた第１基板と、
前記第１基板に対向配置された第２基板と、
前記アクティブエリアを囲み液晶注入口を形成するように配置され、前記第１基板と前記第２基板との間にセルギャップを形成した状態で前記第１基板と前記第２基板とを貼り合わせるシール材と、
前記シール材によって囲まれた内側のセルギャップに保持された液晶層と、
前記液晶注入口を封止する封止材と、を備え、
前記液晶注入口に位置し第１方向に延出した前記外周配線は、第１方向に延出した第１スリットと、第１方向に延出し前記第１スリットと同一直線上に位置する第２スリットと、前記第１スリットと前記第２スリットとの間に第１方向に対して斜めに交差する斜め配線と、を含む、液晶表示装置。
【請求項６】
前記外周配線は、さらに、前記第１スリットと前記第２スリットとの間に、前記第１スリット及び前記第２スリットよりも第１方向の長さが短い１個以上の開口部を含む、請求項５に記載の液晶表示装置。
【請求項７】
前記開口部は、マトリクス状に並んだ、請求項６に記載の液晶表示装置。
【請求項８】
前記外周配線は、さらに、前記第１スリットを挟んだ両側に括弧型の第３スリットを含む、請求項５乃至７のいずれか１項に記載の液晶表示装置。
【発明の詳細な説明】
【技術分野】
【０００１】
本発明の実施形態は、液晶表示装置に関する。
【背景技術】
【０００２】
液晶表示装置は、軽量、薄型、低消費電力などの特徴を生かして、パーソナルコンピュータなどのＯＡ機器やテレビなどの表示装置として各種分野で利用されている。近年では、液晶表示装置は、携帯電話などの携帯端末機器や、カーナビゲーション装置、ゲーム機などの表示装置としても利用されている。
【０００３】
液晶表示パネルを構成する一対の基板は、液晶層を保持するためのセルギャップを形成した状態でシール材によって貼り合わせられている。シール材に形成された液晶注入口は、封止材によって封止されている。封止材は、紫外線硬化型樹脂などの感光性樹脂材料によって形成されている。このため、液晶注入口に配線が位置している場合、封止材を硬化させるために照射した光が配線によって遮光され、封止材に到達しないことがある。このような場合、封止材が未硬化の状態で液晶層と接触するため、封止材に含まれる不純物による液晶層の汚染を招くおそれがある。不純物によって汚染された液晶層は、汚染されていない液晶層と比較して光学的特性あるいは電気的特性が異なり、配向が乱れることで、ムラとなって視認されるおそれがある（例えば、液晶注入口付近で、白ムラとして視認されることがある）。このため、表示品位の劣化を抑制することが要望されている。
【先行技術文献】
【特許文献】
【０００４】
【特許文献１】特開２００８−１３９８２３号公報
【発明の概要】
【発明が解決しようとする課題】
【０００５】
本実施形態の目的は、表示品位の劣化を抑制することが可能な液晶表示装置を提供することにある。
【課題を解決するための手段】
【０００６】
本実施形態によれば、
画像を表示するアクティブエリアの外周に沿って外周配線を備えた第１基板と、前記第１基板に対向配置された第２基板と、前記アクティブエリアを囲み液晶注入口を形成するように配置され、前記第１基板と前記第２基板との間にセルギャップを形成した状態で前記第１基板と前記第２基板とを貼り合わせるシール材と、前記シール材によって囲まれた内側のセルギャップに保持された液晶層と、前記液晶注入口を封止する封止材と、を備え、前記液晶注入口に位置し第１方向に延出した前記外周配線は、第１方向に延出し第１方向に直交する第２方向に並んだ第１直線部及び第２直線部を含む複数の直線部からなる第１配線部と、第１方向及び第２方向に交差する第３方向に延出し前記第１直線部に繋がった第３直線部及び第１乃至第３方向に交差する第４方向に延出し前記第２直線部に繋がった第４直線部を含む複数の直線部からなる格子状の第２配線部と、第１方向に延出し第３直線部に繋がった第５直線部及び第１方向に延出し前記第５直線部と第２方向に並び第４直線部に繋がった第６直線部を含む複数の直線部からなる第３配線部と、を含む、液晶表示装置が提供される。
【０００７】
本実施形態によれば、
画像を表示するアクティブエリアの外周に沿って外周配線を備えた第１基板と、前記第１基板に対向配置された第２基板と、前記アクティブエリアを囲み液晶注入口を形成するように配置され、前記第１基板と前記第２基板との間にセルギャップを形成した状態で前記第１基板と前記第２基板とを貼り合わせるシール材と、前記シール材によって囲まれた内側のセルギャップに保持された液晶層と、前記液晶注入口を封止する封止材と、を備え、前記液晶注入口に位置し第１方向に延出した前記外周配線は、第１方向に延出した第１スリットと、第１方向に延出し前記第１スリットと同一直線上に位置する第２スリットと、前記第１スリットと前記第２スリットとの間に第１方向に対して斜めに交差する斜め配線と、を含む、液晶表示装置が提供される。
【図面の簡単な説明】
【０００８】
【図１】図１は、本実施形態の液晶表示装置ＤＳＰの一例を概略的に示す平面図である。
【図２】図２は、図１に示した表示パネルＰＮＬにおいて液晶注入口ＩＬに位置する外周配線ＣＮの構造の一例を概略的に示す平面図である。
【図３】図３は、図１に示した表示パネルＰＮＬにおいて液晶注入口ＩＬに位置する外周配線ＣＮの構造の一例を概略的に示す平面図である。
【図４】図４は、封止材ＳＣを硬化させるための露光工程を説明するための表示パネルＰＮＬの断面図である。
【図５】図５は、液晶注入口ＩＬに封止された状態の封止材ＳＣの一例を概略的に示す平面図である。
【発明を実施するための形態】
【０００９】
以下、本実施形態について、図面を参照しながら詳細に説明する。なお、各図において、同一又は類似した機能を発揮する構成要素には同一の参照符号を付し、重複する説明は省略する。
【００１０】
図１は、本実施形態の液晶表示装置ＤＳＰの一例を概略的に示す平面図である。
【００１１】
すなわち、液晶表示装置ＤＳＰは、表示パネルＰＮＬを備えている。この表示パネルＰＮＬは、アクティブマトリクスタイプの液晶表示パネルであり、アレイ基板ＡＲと、アレイ基板ＡＲに対向配置された対向基板ＣＴと、アレイ基板ＡＲと対向基板ＣＴとの間に保持された液晶層ＬＱと、を備えている。アレイ基板ＡＲと対向基板ＣＴとは、これらの間に所定のセルギャップを形成した状態でシール材ＳＥによって貼り合わせられている。このセルギャップは、アレイ基板ＡＲまたは対向基板ＣＴに形成された図示しない柱状スペーサによって形成されている。液晶層ＬＱは、アレイ基板ＡＲと対向基板ＣＴとの間のセルギャップにおいてシール材ＳＥによって囲まれた内側に保持されている。
【００１２】
このような表示パネルＰＮＬは、シール材ＳＥによって囲まれた内側に、画像を表示するアクティブエリアＡＣＴを備えている。アクティブエリアＡＣＴは、例えば、略長方形状であり、ｍ×ｎ個のマトリクス状に配置された複数の画素ＰＸによって構成されている（但し、ｍ及びｎは正の整数である）。
【００１３】
アレイ基板ＡＲは、第１方向Ｘに沿って延出したゲート配線Ｇ、第１方向Ｘに交差する第２方向Ｙに沿って延出したソース配線Ｓ、ゲート配線Ｇ及びソース配線Ｓに接続されたスイッチング素子ＳＷ、スイッチング素子ＳＷに接続された画素電極ＰＥなどを備えている。液晶層ＬＱを介して画素電極ＰＥの各々と対向する対向電極ＣＥは、例えば対向基板ＣＴに備えられているが、アレイ基板ＡＲに備えられていても良い。
【００１４】
なお、表示パネルＰＮＬの詳細な構成については説明を省略するが、ＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｅｎｄ）モード、ＶＡ（Ｖｅｒｔｉｃａｌ  Ａｌｉｇｎｅｄ）モードなどの主として縦電界や斜め電界を利用するモードや、ＩＰＳ（Ｉｎ−Ｐｌａｎｅ  Ｓｗｉｔｃｈｉｎｇ）モード、ＦＦＳ（Ｆｒｉｎｇｅ  Ｆｉｅｌｄ  Ｓｗｉｔｃｈｉｎｇ）モードなどの主として横電界を利用するモードなどを適用可能に構成されている。横電界を利用するモードを適用した構成では、画素電極ＰＥ及び対向電極ＣＥの双方がアレイ基板ＡＲに備えられる。
【００１５】
駆動ＩＣチップ２及びフレキシブル・プリンテッド・サーキット（ＦＰＣ）基板３などの表示パネルＰＮＬの駆動に必要な信号を供給する信号供給源は、アクティブエリアＡＣＴよりも外側の周辺エリアＰＲＰに位置している。図示した例では、駆動ＩＣチップ２及びＦＰＣ基板３は、対向基板ＣＴの基板端部ＣＴＥよりも外側に延出したアレイ基板ＡＲの実装部ＭＴに実装されている。
【００１６】
シール材ＳＥは、矩形平板状の表示パネルＰＮＬの端部に沿って略矩形枠状に形成されている。このシール材ＳＥは、アクティブエリアＡＣＴを挟んで、実装部ＭＴの反対側に、液晶材料を注入するための液晶注入口ＩＬを形成するように配置されている。このような液晶注入口ＩＬは、シール材ＳＥの両端部をそれぞれ表示パネルＰＮＬのパネル端部ＰＮＥに引き出すことによって形成されている。このような液晶注入口ＩＬは、封止材ＳＣによって封止されている。シール材ＳＥは、例えば、熱硬化型樹脂材料によって形成されている。封止材ＳＣは、例えば、紫外線硬化型樹脂などの感光性樹脂材料によって形成されている。
【００１７】
アレイ基板ＡＲは、さらに、アクティブエリアＡＣＴの外周に沿って形成された外周配線ＣＮを備えている。この外周配線ＣＮは、周辺エリアＰＲＰに位置し、実装部ＭＴを除いたアレイ基板ＡＲの３辺に沿って形成され、実装部ＭＴにおいて信号供給源（図示した例ではＦＰＣ基板３）に接続されている。また、外周配線ＣＮは、シール材ＳＥに沿うように配置され、パネル端部ＰＮＥ側では、液晶注入口ＩＬを横切っている。
【００１８】
このような外周配線ＣＮは、例えば、コモン電位が供給されるコモン配線であり、対向電極ＣＥなどと接続されている。また、外周配線ＣＮは、ゲート配線Ｇなどと同様の配線材料（アルミニウム、チタン、モリブデン、タングステンなどの光をほとんど透過しない導電材料）によって形成されている。
【００１９】
図２は、図１に示した表示パネルＰＮＬにおいて液晶注入口ＩＬに位置する外周配線ＣＮの構造の一例を概略的に示す平面図である。なお、ここでは、封止材の図示を省略している。
【００２０】
液晶注入口ＩＬに位置する外周配線ＣＮは、第１方向Ｘに沿って延出している。この外周配線ＣＮは、液晶注入口ＩＬにおいて、複数の直線部からなるストライプ状の配線部ＣＮ１、ＣＮ３、ＣＮ５、ＣＮ７と、格子状の配線部ＣＮ２、ＣＮ４、ＣＮ６と、を含んでいる。つまり、ストライプ状の配線部と格子状の配線部とは第１方向Ｘに沿って交互に配置されている。
【００２１】
以下に、外周配線ＣＮの形状についてより詳しく説明する。ここでは、第１方向Ｘに沿って順に並んだ３つの配線部ＣＮ３、ＣＮ４、ＣＮ５に着目して説明する。
【００２２】
配線部ＣＮ３は、それぞれ第１方向Ｘに延出した１０本の直線部Ｌ３０乃至Ｌ３９を備えている。これらの直線部Ｌ３０乃至Ｌ３９は、第２方向Ｙに等間隔に並んでいる。１０本の直線部のうち、外周配線ＣＮのエッジを形成する直線部Ｌ３０はパネル端部ＰＮＥ側に位置し、また、外周配線ＣＮの反対側のエッジを形成する直線部Ｌ３９は、アクティブエリアＡＣＴと周辺エリアＰＲＰとの境界側に位置している。２本の直線部Ｌ３４及び直線部Ｌ３５は、いずれも外周配線ＣＮの中央部に位置している。直線部Ｌ３０及びＬ３９の第１方向Ｘに沿った長さは、直線部Ｌ３４及びＬ３５の第１方向Ｘに沿った長さよりも長い。つまり、外周配線ＣＮのエッジ側に位置する直線部の長さは、外周配線ＣＮの中央部に位置する直線部の長さよりも長い。換言すると、外周配線ＣＮの中央部に位置する直線部ほどその長さは短く、逆に、外周配線ＣＮのエッジ側に位置する直線部ほどその長さは長い。
【００２３】
配線部ＣＮ４は、液晶注入口ＩＬの中央部ＩＬＣに位置している。この配線部ＣＮ４は、第１方向Ｘ及び第２方向Ｙに交差する第３方向Ｄ３に延出した５本の直線部Ｌ４０乃至Ｌ４４と、第１方向Ｘ、第２方向Ｙ、及び、第３方向Ｄ３のいずれとも交差する第４方向Ｄ４に延出した５本の直線部Ｌ４５乃至Ｌ４９と、を備えている。例えば、第３方向Ｄ３と第４方向Ｄ４とは互いに直交している。５本の直線部Ｌ４０乃至Ｌ４４と、５本の直線部Ｌ４５乃至Ｌ４９とは互いに直交し、格子状をなしている。直線部Ｌ４０は直線部Ｌ３０に繋がり、直線部Ｌ４１は直線部Ｌ３１に繋がり、直線部Ｌ４２は直線部Ｌ３２に繋がり、直線部Ｌ４３は直線部Ｌ３３に繋がり、直線部Ｌ４４は直線部Ｌ３４に繋がり、直線部Ｌ４５は直線部Ｌ３５に繋がり、直線部Ｌ４６は直線部Ｌ３６に繋がり、直線部Ｌ４７は直線部Ｌ３７に繋がり、直線部Ｌ４８は直線部Ｌ３８に繋がり、直線部Ｌ４９は直線部Ｌ３９に繋がっている。
【００２４】
配線部ＣＮ５は、配線部ＣＮ３と同様に構成され、それぞれ第１方向Ｘに延出した１０本の直線部Ｌ５０乃至Ｌ５９を備えている。これらの直線部Ｌ５０乃至Ｌ５９は、第２方向Ｙに等間隔に並んでいる。直線部Ｌ５０は直線部Ｌ４０に繋がり、直線部Ｌ５１は直線部Ｌ４１に繋がり、直線部Ｌ５２は直線部Ｌ４２に繋がり、直線部Ｌ５３は直線部Ｌ４３に繋がり、直線部Ｌ５４は直線部Ｌ４４に繋がり、直線部Ｌ５５は直線部Ｌ４５に繋がり、直線部Ｌ５６は直線部Ｌ４６に繋がり、直線部Ｌ５７は直線部Ｌ４７に繋がり、直線部Ｌ５８は直線部Ｌ４８に繋がり、直線部Ｌ５９は直線部Ｌ４９に繋がっている。
【００２５】
液晶注入口ＩＬを規定するシール材ＳＥの両端部は、それぞれ配線部ＣＮ１及び配線部ＣＮ７に重なっているが、シール材ＳＥは配線部ＣＮ２乃至配線部ＣＮ６には重なっていない。
【００２６】
一例として、直線部Ｌのそれぞれの第２方向Ｙに沿った幅は５０μｍである。
【００２７】
次に、別の観点から外周配線ＣＮの構造について説明する。
【００２８】
図３は、図１に示した表示パネルＰＮＬにおいて液晶注入口ＩＬに位置する外周配線ＣＮの構造の一例を概略的に示す平面図である。なお、ここでは、封止材の図示を省略している。
【００２９】
液晶注入口ＩＬに位置し第１方向Ｘに延出した外周配線ＣＮは、第１方向Ｘに延出した複数のスリットＳＬと、マトリクス状に並んだ複数の開口部ＡＰと、を含んでいる。一例として、スリットＳＬ１１は、外周配線ＣＮの中央部に位置し、第１方向Ｘに延出した直線状に形成されている。スリットＳＬ１１を挟んだ両側には、向かい合う一対の括弧型のスリットＳＬ１２及びスリットＳＬ１３が形成されている。つまり、スリットＳＬ１２の形状は“〔”であり、スリットＳＬ１３の形状は“〕”である。これらのスリットＳＬ１２及びスリットＳＬ１３は、それぞれ第１方向Ｘに沿った直線部を含んでおり、それぞれの直線部はスリットＳＬ１１と平行であり且つスリットＳＬ１１と等間隔で並んでいる。第１方向Ｘまた、スリットＳＬ１２及びスリットＳＬ１３の外側には、同様の括弧型の形状でありながら第１方向Ｘに延びた直線部を含むスリットが形成されている。
【００３０】
一方、スリットＳＬ２１は、外周配線ＣＮの中央部に位置し、第１方向Ｘに延出した直線状に形成されている。このスリットＳＬ２１は、スリットＳＬ１１と同一直線上に位置している。スリットＳＬ２１を挟んだ両側にも同様に、向かい合う一対の括弧型のスリットＳＬ２２及びスリットＳＬ２３が形成されている。
【００３１】
このような外周配線ＣＮは、スリットＳＬ１１とスリットＳＬ２１との間に、第１方向Ｘ及び第２方向Ｙに対して斜めに交差する斜め配線Ｌ１乃至Ｌ１０を備えている。斜め配線Ｌ１乃至Ｌ５は、第１方向Ｘ及び第２方向Ｙに交差する第３方向Ｄ３に沿って延出している。斜め配線Ｌ６乃至Ｌ１０は、第１方向Ｘ、第２方向Ｙ、及び、第３方向Ｄ３のいずれとも交差する第４方向Ｄ４に延出している。５本の斜め配線Ｌ１乃至Ｌ５と、５本の斜め配線Ｌ６乃至Ｌ１０との間には、マトリクス状に並んだ複数の開口部ＡＰが形成されている。スリットＳＬ１１とスリットＳＬ２１との間には、第１方向Ｘに並んだ４個の開口部ＡＰが形成されている。これらの開口部ＡＰは、いずれも略同一サイズであり、それらの第１方向Ｘの長さは、スリットＳＬ１１及びスリットＳＬ２１の第１方向Ｘの長さよりも短い。
【００３２】
一例として、スリットＳＬのそれぞれの第２方向Ｙに沿った幅は５０μｍである。
【００３３】
図４は、封止材ＳＣを硬化させるための露光工程を説明するための表示パネルＰＮＬの断面図である。なお、ここでは、液晶注入口ＩＬにおける説明に必要な構成のみを簡略化して図示している。
【００３４】
アレイ基板ＡＲと対向基板ＣＴとの間に液晶層ＬＱを保持した表示パネルＰＮＬにおいて、アレイ基板ＡＲは周辺エリアＰＲＰに外周配線ＣＮを備え、また、対向基板ＣＴは周辺エリアＰＲＰに遮光層ＢＭを備えている。アレイ基板ＡＲ及び対向基板ＣＴはいずれもガラス基板や樹脂基板などの透明な絶縁基板を用いて形成されているが、対向基板ＣＴ側には遮光層ＢＭが配置されているため、封止材ＳＣを硬化させるための光照射は、アレイ基板ＡＲ側から行う。すなわち、封止材ＳＣを硬化させるための光源ＬＳは、アレイ基板ＡＲの背面側に位置している。光源ＬＳは、感光性樹脂材料からなる封止材ＳＣを硬化させるのに必要な波長を含む光を放射するものである。例えば、封止材ＳＣが紫外線硬化型樹脂材料からなる場合、光源ＬＳは、紫外線波長を含む光を放射する。
【００３５】
図示した例は、封止材ＳＣが液晶注入口ＩＬに充填された状態を示している。封止材ＳＣは、パネル端部ＰＮＥから表示パネルＰＮＬの内側に向かって充填されている。パネル端部ＰＮＥ側においては、アレイ基板ＡＲに光を遮る部材がほとんどないため、光源ＬＳから放射された光は、封止材ＳＣに十分に到達する。表示パネルＰＮＬの内側（液晶層ＬＱに接触する側）においては、アレイ基板ＡＲに外周配線ＣＮが配置されているため、光源ＬＳからの放射光の一部が遮られるが、外周配線ＣＮの隙間（つまり、上述したスリットＳＬや開口部ＡＰ）を透過した放射光が封止材ＳＣに到達する。また、光源ＬＳからの放射光は、発散性を有しているため、外周配線ＣＮの隙間を透過した光が回り込み、封止材ＳＣの略全体に到達する。このため、封止材ＳＣの液晶層ＬＱと接触する先端部ＳＣＴを含むその全体を十分に硬化させることが可能となる。
【００３６】
近年、液晶表示装置の小型化及び大画面化といった要望が高まり、画像を表示するアクティブエリアＡＣＴを囲む額縁の幅が狭くなる傾向にあり、一方では、静電気対策などのためにアクティブエリアＡＣＴの周辺に外周配線ＣＮを必要とする機種が増えてきている。狭額縁化された表示パネルＰＮＬにおいては、アクティブエリアＡＣＴとシール材ＳＥとの間に広い幅を確保することが困難であり、外周配線ＣＮは、シール材ＳＥの近接した位置に沿って形成される。このため、外周配線ＣＮは、シール材ＳＥに形成された液晶注入口ＩＬを横切る。液晶注入口ＩＬに充填された感光性樹脂材料からなる封止材ＳＣを硬化させるためには、封止材ＳＣに向けて光照射する必要があるが、外周配線ＣＮはゲート配線などと同様の配線材料によって形成されるため、封止材ＳＣに向けて照射された光を遮る。このため、封止材ＳＣの一部が未硬化となり、封止材ＳＣと液晶層ＬＱとが接触した際に、封止材ＳＣに含まれる不純物によって液晶層ＬＱが汚染されやすい。
【００３７】
そこで、本実施形態では、封止材ＳＣの未硬化を抑制するためには、外周配線ＣＮに隙間（スリットや開口部）を設けることは勿論のこと、さらに、封止材ＳＣに光源ＬＳからの放射光が到達しやすい（つまり、外周配線ＣＮの隙間を透過した光の回り込みによって封止材ＳＣの略全体に放射光が到達する）パターンの外周配線ＣＮを提供する。より具体的には、外周配線ＣＮは、その配線抵抗が増大しない程度に線幅を５０μｍ程度に細線化し、また、それらのピッチ（あるいはスリット幅）も５０μｍ程度の狭ピッチとする。また、外周配線ＣＮのうち、一方向に延びる直線部は、その長さを短縮し、斜め方向に延びる直線部と繋ぐ。また、外周配線ＣＮは、一部に格子状（あるいは網目状）に形成された部分を含む。
【００３８】
細線化された直線部においては、それらの間の隙間（スリット）を透過した光が回り込み、直線部と重なる位置の封止材ＳＣに対して光源ＬＳからの放射光が到達しやすくなる。また、格子状に形成された部分においては、マトリクス状の隙間（開口部）を透過した光が回り込み、格子部分に重なる位置の封止材ＳＣに対して光源ＬＳからの放射光が到達しやすくなる。
【００３９】
これにより、封止材ＳＣの略全体に放射光が到達し、封止材ＳＣの未硬化を抑制することが可能となる。したがって、封止材ＳＣと液晶層ＬＱとが接触したとしても、封止材ＳＣから液晶層ＬＱへの不純物の溶出を抑制することができ、液晶層ＬＱの汚染に起因した表示品位の劣化を抑制することが可能となる。
【００４０】
図５は、液晶注入口ＩＬに封止された状態の封止材ＳＣの一例を概略的に示す平面図である。
【００４１】
液晶注入口ＩＬにおいて、封止材ＳＣの入り込み量は、表示パネルＰＮＬにおいて重要な管理項目の一つである。すなわち、封止材ＳＣの先端部ＳＣＴが周辺エリアＰＲＰに留まり、アクティブエリアＡＣＴに侵入していないことを確認する必要がある。封止材ＳＣの入り込み量を確認するに際しては、上記の通り、対向基板ＣＴが遮光層ＢＭを備えているため、アレイ基板ＡＲの背面側から先端部ＳＣＴの位置を測定する必要がある。
【００４２】
本実施形態では、外周配線ＣＮは、上記の通り、細線化され、また直線部の長さを短縮したため、先端部ＳＣＴの位置を外周配線ＣＮの隙間から容易に測定することが可能となる。特に、液晶注入口ＩＬの中央部ＩＬＣの付近では、封止材ＳＣが最も入り込みやすく、アクティブエリアＡＣＴに接近しやすいが、中央部ＩＬＣには、外周配線ＣＮのうち、斜め配線が交差した格子状の配線部が位置しているため、中央部ＩＬＣに第１方向Ｘに平行な直線部が位置している場合と比較して、先端部ＳＣＴの位置を容易に確認することが可能となる。したがって、封止材ＳＣの入り込み量を精度良く管理することが可能となる。
【００４３】
以上説明したように、本実施形態によれば、表示品位の劣化を抑制することが可能な液晶表示装置を提供することができる。
【００４４】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４５】
ＤＳＰ…表示装置
ＰＮＬ…表示パネル  ＡＲ…アレイ基板  ＣＴ…対向基板  ＬＱ…液晶層
ＡＣＴ…アクティブエリア  ＰＲＰ…周辺エリア
ＳＥ…シール材  ＩＬ…液晶注入口  ＳＣ…封止材
ＣＮ…外周配線  Ｌ…直線部  ＳＬ…スリット  ＡＰ…開口部
【図１】
2014085401.tif 000003
【図２】
2014085401.tif 000004
【図３】
2014085401.tif 000005
【図４】
2014085401.tif 000006
【図５】
2014085401.tif 000007